(57)【要約】  化粧品溶液が化粧品溶液のメイン貯蔵空間から臨時貯蔵空間へ選択的に流入するようにするディスクバルブ構造体を、ピストンアセンブリーの昇降領域の外側に配置させるなどの方法でディスクバルブの構造を改善して容器の厚さを減らした化粧品容器を提供する。
2020530365.tif 000002
【特許請求の範囲】
【請求項１】
ベース部材と、
前記ベース部材の上面に置かれる支持スリーブと、前記支持スリーブの内側中心で前記ベース部材の上面に置かれるセンタースリーブ、前記支持スリーブの上端と前記センタースリーブの上端を連結する区画プレートと、前記支持スリーブと前記センタースリーブとの間に形成されるメイン貯蔵空間と、前記センタースリーブの内部に形成される臨時貯蔵空間とを含むハウジングと、
前記ハウジングの上端に結合され、内側に所定大きさのホールが形成されるフレームと、
前記ホールに収容された状態で上下方向に移動可能に前記フレームに結合され、中央に化粧品溶液を吐出するための吐出口が形成されるステムと、
前記ステムの底面に装着され、前記臨時貯蔵空間に収容されるピストンアセンブリーと、
前記センタースリーブの下端に装着され、前記メイン貯蔵空間と前記臨時貯蔵空間が選択的に連通するようにするディスクバルブと、
を含み、
前記ディスクバルブは、環状の固定部と、前記固定部の一側端部から延長され、化粧品溶液の流動圧力によって曲がるように、前記固定部より柔軟なフラップ部と、を含み、
前記フラップ部は、前記ピストンアセンブリーの昇降動作に応じて前記ベース部材の底部に選択的に接触して、前記メイン貯蔵空間にある化粧品が前記臨時貯蔵空間へ選択的に移動するようにすることを特徴とする、化粧品容器。
【請求項２】
前記センタースリーブの下端部には、前記ディスクバルブが嵌着されるディスクバルブ結合部が陥没形成され、
前記ディスクバルブ結合部には、陥没部と突出部が交互に形成されることを特徴とする、請求項１に記載の化粧品容器。
【請求項３】
前記ディスクバルブは、前記固定部の上面には、前記ディスクバルブ結合部の陥没部に嵌め込まれる突出部と、前記ディスクバルブ結合部の突出部が嵌め込まれる陥没部が交互に形成されることを特徴とする、請求項２に記載の化粧品容器。
【請求項４】
前記固定部の内周面から突出する一つまたは多数の嵌め込み用突起をさらに含み、
前記ディスクバルブ結合部には、前記一つまたは多数の嵌め込み用突起が嵌め込まれる嵌め込み溝が形成されることを特徴とする、請求項２に記載の化粧品容器。
【請求項５】
前記フラップ部は、前記固定部の外側端部から下側に延長されることを特徴とする、請求項１に記載の化粧品容器。
【請求項６】
前記ベース部材の底部には、所定大きさと深さを有する陥没部が形成され、
前記ベース部材の底部は、前記陥没部の底部を定義する第１底面と、前記陥没部を除いた部分を定義する第２底面と、前記第１底面と前記第２底面を連結する段差面と、を含み、
前記ピストンアセンブリーの昇降動作に応じて、前記フラップ部の外周面は、前記段差面に選択的に接触することを特徴とする、請求項１に記載の化粧品容器。
【請求項７】
前記陥没部の縁端に沿って突出する多数のガイド突起をさらに含み、
前記ガイド突起の内側面は、傾斜するように形成され、前記フラップ部が前記ベース部材の中心方向に加圧されるようにすることを特徴とする、請求項６に記載の化粧品容器。
【請求項８】
前記ステムの上面に置かれるガスケットをさらに含む、請求項１に記載の化粧品容器。
【請求項９】
前記ステムの中心部には、化粧品溶液を吐出するための吐出口が形成され、
前記ステムの上面には、前記ガスケットが着座するガスケット着座溝が形成されることを特徴とする、請求項８に記載の化粧品容器。
【請求項１０】
前記ガスケット着座溝の内側に該当する前記ステムの上面には、前記吐出口を介して吐出される化粧品溶液の流れを案内する案内流路が陥没形成されることを特徴とする、請求項９に記載の化粧品容器。
【請求項１１】
前記ステムの上面に置かれるパレットをさらに含み、
前記パレットには、多数の排出口が形成され、
前記多数の排出口は、前記パレットが前記ステムに着座した状態で、前記案内流路に沿って形成されることを特徴とする、請求項１０に記載の化粧品容器。
【請求項１２】
前記案内流路は、
前記吐出口を中心とし、直径が異なる多数の円形流路を含む第１流路と、
前記吐出口を通りながら前記第１流路を分割する多数の直線流路を含む第２流路と、
を含む、請求項１０または１１に記載の化粧品容器。
【請求項１３】
前記区画プレートは、金属素材であり、
前記支持スリーブと前記センタースリーブは、前記区画プレートの外側端部と内側端部にそれぞれインサート射出によって結合されるプラスチック素材であることを特徴とする、請求項１に記載の化粧品容器。
【請求項１４】
ヒンジ軸によって前記ベース部材に回動可能に結合されるアウターカバーと、
前記アウターカバーの側面部に装着される加圧部材と、
前記加圧部材の向い側に該当する前記アウターカバーの側面部に形成される係合突起と、
前記係合突起と整列する位置の前記ベース部材に装着され、前記係合突起と選択的に結合される係合フックを有するプッシュボタンと、
をさらに含み、
前記加圧部材は、前記ヒンジ軸から離隔する地点で前記ベース部材の外周面を加圧することを特徴とする、請求項１に記載の化粧品容器。
【請求項１５】
前記係合突起が前記係合フックから分離すると、前記加圧部材に蓄積された復原力によって前記ヒンジ軸を中心に発生する回転モーメントによって前記アウターカバーが回転することを特徴とする、請求項１４に記載の化粧品容器。
【発明の詳細な説明】
【技術分野】
【０００１】
本発明は、化粧品容器に関するものである。
【背景技術】
【０００２】
化粧品の一種類として、パフ(puff)を利用して粉末形態の化粧品を女性の顔に塗るコンパクトが広く知られている。
【０００３】
従来には、粉末形態の化粧品を顔に塗っていたが、粉末が空気中に飛散して顔にまともに付着しない問題点が発生した。最近では、このような問題点を改善するために、液状またはゲル状態の化粧品がパフに染込むようにして、パフを顔にたたいて液状またはゲル状態の化粧品が顔の皮膚に染込むようにするコンパクトが発売されている。
【０００４】
以下に記載された先行技術には、液状またはゲル状態の化粧品が貯蔵されたコンパクト容器が提案されている。
【０００５】
ところが、提示される先行技術には、相変らず次のような問題点を抱えている。
【０００６】
具体的に、化粧品溶液を排出するためには、昇降部材を所定長さだけ下側に加圧する必要があり、加圧される長さをストロークで定義することができる。前記昇降部材が下降するとピストンが一緒に下降して、前記ピストンのフランジも同一ストロークで下降することになる。
【０００７】
また、前記フランジの直下方には、チェックバルブおよび前記チェックバルブを収容する支持構造が備えられる。そして、前記チェックバルブおよびチェックバルブ支持構造は、少なくとも前記ピストンのフランジが最大限下降した時干渉してはいけない。
【０００８】
このような条件を満足するためには、前記化粧品容器の厚さがある程度確保される必要があり、前記ピストンのフランジの直下方に位置する前記チェックバルブおよびチェックバルブ支持構造は、前記化粧品容器の厚さをそれ以上減らせないようにする障害物として作用する短所がある。
【発明の概要】
【発明が解決しようとする課題】
【０００９】
本発明は、上記のような従来技術の問題点を改善するために提案されたものである。
【課題を解決するための手段】
【００１０】
上記のような目的を達成するための本発明の実施例に係る化粧品容器は、ベース部材と、前記ベース部材の上面に置かれる支持スリーブと、前記支持スリーブの内側中心で前記ベース部材の上面に置かれるセンタースリーブ、前記支持スリーブの上端と前記センタースリーブの上端を連結する区画プレートと、前記支持スリーブと前記センタースリーブとの間に形成されるメイン貯蔵空間と、前記センタースリーブの内部に形成される臨時貯蔵空間とを含むハウジングと、前記ハウジングの上端に結合され、内側に所定大きさのホールが形成されるフレームと、前記ホールに収容された状態で上下方向に移動可能に前記フレームに結合され、中央に化粧品溶液を吐出するための吐出口が形成されるステムと、前記ステムの底面に装着され、前記臨時貯蔵空間に収容されるピストンアセンブリーと、前記センタースリーブの下端に装着され、前記メイン貯蔵空間と前記臨時貯蔵空間が選択的に連通するようにするディスクバルブと、を含み、前記ディスクバルブは、前記ピストンアセンブリーが昇降する領域の外側に配置されることを特徴とする。
【発明の効果】
【００１１】
上記のような構成を有する本発明の実施例に係る化粧品容器によれば、化粧品溶液のメイン貯蔵空間から臨時貯蔵空間へ選択的に流入するようにするディスクバルブ構造体がピストンアセンブリーの昇降領域の外側に配置される。その結果、ピストンアセンブリーの下端部とディスクバルブが干渉する現象が除去されるので、化粧品容器のコンパクト化が可能となる長所がある。
【００１２】
また、噴出される化粧品溶液の量が一定に維持される長所がある。
【００１３】
また、ピストンボディのフランジに貫通ホールが形成されるようにすることで、化粧品溶液の吐出流路の抵抗が著しく減少し、化粧品溶液の吐出が均一に維持される長所がある。
【００１４】
また、ディスクバルブのフラップ部とインナーベースの底部の接触面積が増加して、化粧品溶液の開閉機能、即ちバルブの閉鎖機能が向上する長所がある。そして、フラップ部の全体面積が増加することで、化粧品を押上げる圧力が作用する面積が増加して、化粧品溶液が円滑に吐出される長所がある。
【図面の簡単な説明】
【００１５】
【図１】本発明の実施例に係る化粧品容器のカバーが閉じられた状態の斜視図である。
【図２】前記化粧品容器のカバーが開放された状態の斜視図である。
【図３】前記化粧品容器の分解斜視図である。
【図４】図１の４‐４に沿って切開される縦断面図である。
【図５】本発明の実施例に係る化粧品容器を構成するアウターカバーの底面斜視図である。
【図６】本発明の実施例に係る化粧品容器を構成するフレームの前面斜視図である。
【図７】前記フレームの背面斜視図である。
【図８】前記フレームの底面斜視図である。
【図９】本発明の実施例に係る化粧品容器を構成するパレットリングの平面斜視図である。
【図１０】前記パレットリングの底面斜視図である。
【図１１】本発明の実施例に係る化粧品容器を構成するパレットの斜視図である。
【図１２】本発明の実施例に係る化粧品容器を構成するステムの平面斜視図である。
【図１３】前記ステムの底面斜視図である。
【図１４】図１２の１４‐１４に沿って切開される縦断面図である。
【図１５】本発明の実施例に係る化粧品容器を構成するハウジングの平面斜視図である。
【図１６】前記ハウジングの底面斜視図である。
【図１７】図１５の１７‐１７に沿って切開される縦断面図である。
【図１８】本発明の実施例に係る化粧品容器を構成するピストンアセンブリーの分解斜視図である。
【図１９】前記ピストンアセンブリーを構成するピストンガイドとピストンボディが分離された状態で、ピストンアセンブリーが図１８の１９‐１９に沿って切開される切開斜視図である。
【図２０】ピストンガイドとピストンボディが結合された状態で、ピストンアセンブリーが図１８の１９‐１９に沿って切開される縦断面図である。
【図２１】本発明の実施例に係る化粧品容器を構成するインナーカバーの斜視図である。
【図２２】図２１の２２‐２２に沿って切開される縦断面図である。
【図２３】本発明の実施例に係る化粧品容器を構成するディスクバルブの斜視図である。
【図２４】図２３の２４‐２４に沿って切開されるディスクバルブの縦断面図である。
【図２５】本発明の実施例に係る化粧品容器を構成するインナーベースの斜視図である。
【図２６】図４のＡ部分の拡大斜視図である。
【図２７】本発明の実施例に係る化粧品容器を構成するアウターベースとプッシュボタンの結合体の斜視図である。
【図２８】図２７のＢ部分の平面図である。
【図２９】図１の２９‐２９に沿って切開される使用前の状態の化粧品容器の縦断面図である。
【図３０】図２９のＣ部分の拡大図である。
【図３１】図１の２９‐２９に沿って切開される使用中の状態の化粧品容器の縦断面図である。
【図３２】図３０のＤ部分の拡大図である。
【図３３】本発明の別の実施例に係る化粧品容器を構成するハウジングの底面斜視図である。
【図３４】本発明の別の実施例に係るディスクバルブの斜視図である。
【図３５】図３４の３５‐３５に沿って切開される切開斜視図である。
【図３６】使用前の状態を示す本発明の別の実施例に係る化粧品容器の縦断面図である。
【図３７】図３６のＥ部分の拡大斜視図である。
【図３８】図３６のＦ部分の拡大図である。
【図３９】使用状態を示す本発明の別の実施例に係る化粧品容器の縦断面図である。
【図４０】図３９のＧ部分の拡大断面図である。
【図４１】本発明の別の実施例に係るピストンボディの外観斜視図である。
【図４２】本発明のさらに別の実施例に係るディスクバルブの外観斜視図である。
【図４３】図４２の４３‐４３に沿って切開される縦断面図である。
【図４４】図４１〜図４３で説明されたピストンボディとディスクバルブが装着された化粧品容器の使用状態を示す部分縦断面図である。
【発明を実施するための形態】
【００１６】
以下では、本発明の実施例に係る化粧品容器の構造および機能に対して図面を参照して詳しく説明する。
【００１７】
図１は本発明の実施例に係る化粧品容器のカバーが閉じられた状態の斜視図であり、図２は前記化粧品容器のカバーが開放された状態の斜視図であり、図３は前記化粧品容器の分解斜視図であり、図４は図１の４‐４に沿って切開される縦断面図である。
【００１８】
図１〜図４を参照すると、本発明の実施例に係る化粧品容器１０は、アウターベース１１と、インナーベース１４と、ヒンジ軸１２と、プッシュボタン１３と、ディスクバルブ１５と、インナーカバー１６と、ピストンガイド１８とピストンボディ１７からなるピストンアセンブリー２９と、ハウジング１９と、弾性部材２０と、ステム(stem)２１と、ガスケット２２と、パレット(parette)２３と、パレットリング２４と、フレーム２５と、ミラー２６と、アウターカバー２７と、加圧部材２８を含むことができる。
【００１９】
具体的に、前記アウターベース１１と前記インナーベース１４は、ベース部材と定義することができる。
【００２０】
前記ヒンジ軸１２は、前記アウターカバー２７を前記アウターベース１１の一側面に回動可能に連結する。即ち、前記ヒンジ軸１２は、前記アウターカバー２７の回転中心となる。
【００２１】
また、前記ハウジング１９は、略「ｎ」字状からなり、下端部が前記インナーベース１４の上面縁端に着座して化粧品が貯蔵されるメイン貯蔵空間(main storage space)Ｓ１を形成する。そして、前記ハウジング１９の側面は、前記インナーベース１４の側面に係合され、前記メイン貯蔵空間Ｓ１に貯蔵された化粧品が外部に漏洩することを防止し、前記    
【００２２】
メイン貯蔵空間Ｓ１が大気圧または大気圧より低い圧力で維持されるようにする。
【００２３】
また、前記インナーカバー１６は、前記メイン貯蔵空間Ｓ１内に配置され、前記メイン貯蔵空間Ｓ１に注入された化粧品溶液の上面をカバーする。そして、前記メイン貯蔵空間Ｓ１に注入された化粧品溶液が消耗し水位が低くなると、前記インナーカバー１６も一緒に下降する。
【００２４】
また、前記ハウジング１９は、図１５で詳述するが、支持スリーブ１９２と、センタースリーブ１９３と、前記支持スリーブ１９２とセンタースリーブ１９３の上端部を連結する区画プレート１９１とを含むことができる。
【００２５】
そして、前記センタースリーブ１９３の上面には、前記弾性部材２０が置かれ、下端には前記ディスクバルブ１５が装着される。そして、前記センタースリーブ１９３の内側には、前記ピストンアセンブリー２９が昇降可能に配置される。ここで、前記ピストンアセンブリー２９を構成する前記ピストンガイド１８が収容される空間は、臨時貯蔵空間(temporary storage space)Ｓ２と定義することができる。そして、前記ピストンアセンブリー２９の昇降によって前記ディスクバルブ１５が動作して、前記メイン貯蔵空間Ｓ１に貯蔵された化粧品溶液が前記臨時貯蔵空間Ｓ２に選択的に流入する。そして、前記臨時貯蔵空間Ｓ２に流入した化粧品溶液は、前記ピストンアセンブリー２９が下降した状態で、前記ピストンアセンブリー２９を通過して前記ステム２１の上面に排出される。
【００２６】
また、前記ピストンアセンブリー２９を構成する前記ピストンボディ１７は、前記ステム２１の底面に固定装着され、前記ステム２１と一体で昇降する。
【００２７】
また、前記ステム２１の上面には、前記ガスケット２２と前記パレット２３が結合され、前記ステム２１の上面に前記パレットリング２４が結合される。そして、前記ステム２１の端部は、前記フレーム２５の内周面に上下移動可能に結合される。よって、ユーザがパフで前記パレット２３の中心部を加圧すると、前記パレットリング２４と、前記パレット２３と、前記ステム２１と、前記ピストンアセンブリー２９は一体で昇降する。そして、前記ステム２１と前記フレーム２５には、前記ステム２１の昇降長さを制限する突起と溝構造が形成される。
【００２８】
また、前記アウターカバー２７の底面には、前記ミラー２６が装着されてもよい。
【００２９】
以下では、前記化粧品容器１０を構成する各構成要素に対して、図面を参照してより詳しく説明するようにする。
【００３０】
図５は、本発明の実施例に係る化粧品容器を構成するアウターカバーの底面斜視図である。
【００３１】
図５を参照すると、本発明の実施例に係る化粧品容器１０を構成するアウターカバー２７は、板状の上面部２７１と、前記上面部２７１の端部から下側に延長される側面部２７２と、前記側面部２７２の下端からさらに延長されるヒンジ取付部２７３からなる。
【００３２】
具体的に、前記上面部２７１の底面には、前記ミラー２６が装着されてもよい。そして、前記ヒンジ取付部２７３の反対側に該当する前記側面部２７２には係合突起２７６(図４の断面図を一緒に参照)が突出する。そして、前記ヒンジ取付部２７３には、加圧部材２８が着座するための加圧部材着座部２７５が陥没形成され、前記ヒンジ取付部２７３の下端には、前記ヒンジ軸１２が挿入されるヒンジホール２７４が形成される。
【００３３】
より具体的に、前記加圧部材２８は、所定の弾性力を有するゴムまたはシリコン素材からなることができる。そして、前記加圧部材２８は、前記側面部２７２から前記アウターカバー２７の中心方向に突出して、前記フレーム２５の加圧部材密着部２５５(図７参照)に圧着される。
【００３４】
図４の断面図に示されたように、前記係合突起２７６が前記プッシュボタン１３に引っ掛った状態では、前記加圧部材２８は、前記フレーム２５に圧着された状態を維持する。よって、前記加圧部材２８には、元の状態に復帰しようとする復原力Ｆが前記アウターカバー２７の外側方向に作用する。
【００３５】
そして、前記復原力Ｆは、前記ヒンジ軸１２から一定距離ｒ離隔した地点で作用して、前記アウターカバー２７には、前記ヒンジ軸１２を中心とするモーメントＭ(Ｍ＝ｒ×Ｆ)が作用することになる。
【００３６】
このような構造によって、ユーザが前記プッシュボタン１３を押して、前記係合突起２７６が前記プッシュボタン１３から分離すると、前記アウターカバー２７は、前記モーメントによって前記ヒンジ軸１２を中心に回転(図４で時計回り)しながら開放される。
【００３７】
図６は本発明の実施例に係る化粧品容器を構成するフレームの前面斜視図であり、図７は前記フレームの背面斜視図であり、図８は前記フレームの底面斜視図である。
【００３８】
図６〜図８を参照すると、本発明の実施例に係る化粧品容器１０のフレーム２５は、内側にパレット収容ホール２５６が形成される円形の帯状に形成される。しかし、前記フレーム２５は、前記化粧品容器１０の全体形状に応じて、円形ではなく他の形状を有してもよい。
【００３９】
具体的に、前記フレーム２５は、内側から外側に行くほど凹んだラウンド状を有するアッパーフレーム２５１と、前記アッパーフレーム２５１の底面から下側に延長されるロウワーフレーム２５２を含むことができる。前記ロウワーフレーム２５２は、前記アッパーフレーム２５１の外側端部から内側に所定距離離隔した地点から延長される。
【００４０】
前記ロウワーフレーム２５２の内側面は、前記アッパーフレーム２５２の内側面から外側に所定間隔離隔し、前記ロウワーフレーム２５２の外側面も、前記アッパーフレーム２５２の外側面から内側に所定間隔離隔する。即ち、前記ロウワーフレーム２５２は、前記アッパーフレーム２５２の内側面と外側面との間のある地点から延長される。
【００４１】
前記アッパーフレーム２５１の外側端部にはヒンジ取付部収容溝２５４が陥没形成され、前記ヒンジ取付部収容溝２５４から加圧部材密着部２５５がさらに陥没形成される。そして、先述した加圧部材２８の端部は、前記加圧部材密着部２５５に圧着される。
【００４２】
また、前記ヒンジ取付部収容溝２５４の向かい側に該当する前記アッパーフレーム２５１の外側端部には、プッシュボタン収容溝２５３が陥没形成される。前記プッシュボタン収容溝２５３に、前記プッシュボタン１３が収容されることで、前記プッシュボタン１３が作動過程で前記フレーム２５と干渉することを防止することができる。
【００４３】
また、前記ロウワーフレーム２５２の外周面には、多数の係合溝２５２ａが陥没形成される。前記係合溝２５２ａには、前記アウターベース１１から突出する係合突起１１３(図２７参照)が嵌められ、前記フレーム２５が前記アウターベース１１に固定されるようにする。
【００４４】
また、前記アッパーフレーム２５１の内周面２５１ｂには、多数のガイド溝２５１ａが陥没形成される。そして、前記多数のガイド溝２５１ａには、前記ステム２１の外周面から突出する多数のガイド突起２１４(図１２参照)が収容される。そして、前記多数のガイド溝２５１ａの高さは、前記ステム２１の移動変位に該当する。即ち、ユーザがパフで前記ステム２１を加圧すると、前記多数のガイド突起２１４が前記ガイド溝２５１ａの下端に接触する時まで下降し、加圧力を除去すると前記多数のガイド突起２１４は、前記弾性部材２０の復原力によって前記ガイド溝２５１ａの上端に接触する時まで上昇する。
【００４５】
また、前記ロウワーフレーム２５２の内周面には、多数の支持突起２５２ｂが円周方向に突出形成される。前記多数の支持突起２５２ｂの上面に前記ハウジング１９の外周面から突出するフレーム係止リブ１９２ａ(図１５参照)が着座する。よって、前記ハウジング１９は、前記フレーム２５に引っ掛って固定された状態を維持する。
【００４６】
また、前記アッパーフレーム２５１の外側端部から前記ロウワーフレーム２５２の外周面に至る段差部２５１ｃは、前記アウターベース１１の上端部に着座して、固定された状態で維持される。
【００４７】
前記フレーム２５と前記ハウジング１９は、ユーザがパフを利用して前記パレット２３の上面中央部を加圧するとき、加圧力によって下降せず固定された状態で維持される。即ち、前記フレーム２５は、前記アウターベース１１の上端に載せられた状態で維持され、前記フレーム２５に固定結合された前記ハウジング１９も前記フレーム２５と一体で固定された状態で維持される。
【００４８】
図９は本発明の実施例に係る化粧品容器を構成するパレットリングの平面斜視図であり、図１０は前記パレットリングの底面斜視図である。
【００４９】
図９および図１０を参照すると、本発明の実施例に係る化粧品容器１０を構成するパレットリング２４は、前記フレーム２５の内側に形成されたパレット収容ホール２５６に嵌められ、前記フレーム２５の内側に昇降可能に提供される。
【００５０】
具体的に、前記パレットリング２４の内側には、前記パレット２３が収容されるパレット収容ホール２４３が形成される。前記パレットリング２４は、前記パレット収容ホール２４３の端部から外側に行くほど上方に傾斜する傾斜部２４１と、前記傾斜部２４１の端部で折り曲げられて延長される延長部２４２からなる。
【００５１】
前記傾斜部２４１は、直線状に傾斜してもよく、若干凹んだラウンド状に傾斜してもよい。そして、前記延長部２４２は、前記傾斜部２４１の外側端部でなめらかに折り曲げられ、かつ垂直面と水平面の間の角度で折り曲げられる。
【００５２】
また、前記傾斜部２４１の底面には、多数のステム係合突起２４４が突出する。前記多数のステム係合突起２４４は、前記ステム２１に形成された係合ホール２１２ａ(図１２参照)に嵌められ、前記パレットリング２４と前記ステム２１が一体に結合される。よって、前記パレット２３を押す圧力によって前記パレットリング２４と前記ステム２１は一体で昇降する。
【００５３】
図１１は、本発明の実施例に係る化粧品容器を構成するパレットの斜視図である。
【００５４】
図１１を参照すると、本発明の実施例に係る化粧品容器１０を構成するパレット２３は、円形のプレート形状を有することができる。
【００５５】
具体的に、前記パレット２３は、前記パレットリング２４の内側に形成される前記パレット収容ホール２４３に嵌められる。そして、内側には多数の排出口２３２が形成される。
【００５６】
より具体的に、前記多数の排出口２３２は、前記臨時貯蔵空間Ｓ２に移送された液状の化粧品が外部に排出される孔として、前記排出口２３２を通じて排出される化粧品は前記パフに染込むことになる。前記多数の排出口２３２は、図示されたように前記パレット２３の中心から放射状に一定間隔を置いて配置されてもよい。
【００５７】
また、前記パレット２３の端部には、一つまたは多数の突起収容ホール２３１が形成される。前記突起収容ホール２３１には、前記ステム２１の上面に形成された固定突起２１５(図１２参照)が嵌められる。よって、前記パレット２３は、前記ステム２１に結合されて前記ステム２１と一体で昇降する。
【００５８】
図１２は本発明の実施例に係る化粧品容器を構成するステムの平面斜視図であり、図１３は前記ステムの底面斜視図であり、図１４は図１２の１４‐１４に沿って切開される縦断面図である。
【００５９】
図１２〜図１４を参照すると、本発明の実施例に係る化粧品容器を構成するステム２１は、前記パレット２３を押す加圧力によって、前記フレーム２５の内周面に連結された状態で上下方向に移動する。
【００６０】
具体的に、前記ステム２１の上面には、前記パレット２３が着座し、上述したように、前記固定突起２１５が前記パレット２３の突起収容ホール２３１に嵌められる。
【００６１】
また、前記係合ホール２１２ａに前記パレットリング２４の底面に突出するステム係合突起２４４が嵌められて、前記パレットリング２４が前記ステム２１の上面に固定結合される。よって、前記パレット２３と、前記パレットリング２４と、前記ステム２１は一体で昇降する。
【００６２】
一方、前記ステム２１は、前記パレット２３が着座するパレット着座部２１１と、前記パレット着座部２１１の端部から上方に傾斜するように延長される傾斜部２１２と、前記傾斜部２１２の端部で折り曲げられて延長される延長部２１３を含むことができる。
【００６３】
前記傾斜部２１２の上面には、前記パレットリング２４の傾斜部２４２が着座することができ、前記延長部２１３の上面には、前記パレットリング２４の延長部２４３が着座する。
【００６４】
また、前記延長部２１３の側面には、多数のガイド突起２１４が突出形成され、前記多数のガイド突起２１４は、前記フレーム２５の内周面に形成されたガイド溝２５１ａに嵌められる。そして、前記ガイド突起２１４は、前記ガイド溝２５１ａの内部で上下移動する。
【００６５】
前記多数のガイド突起２１４は、一定間隔で円周方向に配置される多数の大きいガイド突起と、前記多数の大きいガイド突起の間に配置される多数の小さいガイド突起を含むことができる。
【００６６】
前記傾斜部２１２には、多数の係合ホール２１２ａが形成され、上述したように、前記係合ホール２１２ａには、前記ステム係合突起２４４が嵌められて結合される。
【００６７】
また、前記パレット着座部２１１の中心には吐出口２１１ｂが形成され、前記臨時貯蔵空間Ｓ２にある化粧品が前記ステム２１の上面に排出されるようにする。そして、前記吐出口２１１ｂを中心に多数の案内流路２１１ｃが放射状に延長形成される。前記多数の案内流路２１１ｃは、前記ステム２１の上面から所定深さ陥没して、格子状に形成される。
【００６８】
具体的に、前記多数の案内流路２１１ｃは、前記吐出口２１１ｂを中心とし、直径が異なる多数の同心円形態の多数の第１案内流路と、前記吐出口２１１ｂを通って前記多数の同心円を分割する直線形態の多数の第２案内流路を含むことができる。また、前記多数の排出口２３２は、前記第１案内流路および前記第２案内流路のいずれか一つまたは両方共に沿って配置されてもよい。
【００６９】
このように、前記多数の排出口２３２が前記案内流路２１１ｃに沿って形成されることで、前記吐出口２１１ｂを通じて排出される化粧品溶液が他の箇所に分散することを最小化し、吐出抵抗を最小化することができる。
【００７０】
一方、前記案内流路２１１ｃの外側に該当する前記パレット着座部２１１の上面には、ガスケット２２が着座するためのガスケット着座溝２１１ａが陥没形成される。前記吐出口２１１ｂを通じて排出されて前記案内流路２１１ｃに沿って流れる液状の化粧品が、前記ステム２１の外部に漏洩することを防止するために、前記ガスケット２２が提供される。前記ガスケット２２は、シリコン、ゴム、スポンジまたは不織布のうちいずれか一つの素材からなることができる。
【００７１】
また、前記ステム２１は、前記パレット着座部の底面から所定長さで延長される円筒形状のアウタースリーブ２１６と、前記アウタースリーブ２１６の内側で前記アウタースリーブ２１６と同じ長さで延長されるインナースリーブ２１７を含むことができる。前記アウタースリーブ２１６と前記インナースリーブ２１７の中心は、前記吐出口２１１ｂの中心と一致する。
【００７２】
また、前記アウタースリーブ２１６の端部には、係合フック２１６ａが前記アウタースリーブ２１６の半径方向に突出形成される。前記係合フック２１６ａの機能については後でより詳しく説明する。
【００７３】
具体的に、前記インナースリーブ２１７の内側には、アッパースリーブ収容溝２１９が形成される。前記アッパースリーブ収容溝２１９には、前記ピストンアセンブリー２９を構成するピストンガイド１８のアッパースリーブ１８１ａ(図２０参照)が嵌められる。
前記アッパースリーブ収容溝２１９の上面にはピストンボディ係合溝２１８が形成される。前記ピストンボディ係合溝２１８は、前記アッパースリーブ収容溝２１９の上面から上側にさらに陥没して形成され、前記ピストンボディ係合溝２１８には、前記ピストンボディ１７の上端部が嵌められる。そして、前記ピストンボディ係合溝２１９の上面は、前記吐出口２１１ｂと連通する。
【００７４】
図１５は本発明の実施例に係る化粧品容器を構成するハウジングの平面斜視図であり、図１６は前記ハウジングの底面斜視図であり、図１７は図１５の１７‐１７に沿って切開される縦断面図である。
【００７５】
図１５〜図１７を参照すると、本発明の実施例に係る化粧品容器１０を構成するハウジング１９は、前記インナーベース１４と結合して内部にメイン貯蔵空間Ｓ１を形成する。
【００７６】
具体的に、前記ハウジング１９は、円筒形状のセンタースリーブ１９３と、前記センタースリーブ１９３より直径が大きい円筒形状の支持スリーブ１９２と、前記センタースリーブの上端部と前記支持スリーブ１９２の上端部を連結する区画プレート１９１を含むことができる。
【００７７】
前記区画プレート１９１は、ステンレス鋼のような金属部材からなり、前記センタースリーブ１９３および前記支持スリーブ１９２は、ポリプロピレンのようなプラスチック部材からなることができる。そして、前記区画プレート１９１の内側と外側から前記センタースリーブ１９３および前記支持スリーブ１９２がインサート射出によって一体成形される。
【００７８】
また、前記区画プレート１９１の上面には、前記ステム２１と前記パレットリング２２の結合体が置かれる。そして、図２９に示されたように、前記区画プレート１９１の端部上面は、前記フレーム２５の底面に密着する。即ち、前記フレーム２５は、前記ハウジング１９の上面に着座して、前記ロウワーフレーム２５２の内周面は、前記支持スリーブ１９２の外周面に密着結合される。
【００７９】
具体的に、前記センタースリーブ１９３の上面には弾性部材着座溝１９３ａが下側に陥没形成され、底面にはディスクバルブ結合部１９４が上側に陥没形成される。前記弾性部材着座溝１９３ａと前記ディスクバルブ結合部１９４は、互いに連通しない深さまで陥没形成される。即ち、前記弾性部材着座溝１９３ａの下端部と前記ディスクバルブ結合部１９４の上端部は、区画壁１９３ｅの上面と下面とに定義することができる。
【００８０】
前記センタースリーブ１９３に前記弾性部材着座溝１９３ａと前記ディスクバルブ結合部１９４が互いに反対方向に陥没形成されることで、前記センタースリーブ１９３は、さらに内側の第１スリーブ１９３ｂと外側の第２スリーブ１９３ｃに区分することができる。そして、前記第１スリーブ１９３ｂと前記第２スリーブ１９３ｃは、前記区画壁１９３ｅによって連結される構造を有することができる。
【００８１】
ここで、前記第２スリーブ１９３ｃの下端部は、前記第１スリーブ１９３ｂの下端部より短く形成されるが、これは、図２６に示されたように、前記インナーベース１４の中央部に陥没部１４４(図２５参照)が形成されるからである。即ち、前記第１スリーブ１９３ｂは、前記陥没部１４４に当たり、前記第２スリーブ１９３ｃは、前記陥没部１４４の外側に該当する前記インナーベース１４の底部に当たる。
【００８２】
前記弾性部材着座溝１９３ａには、コイル形態の前記弾性部材２０が着座する。そして、前記弾性部材２０の上端は、前記区画プレート１９１より上側にさらに突出して、前記弾性部材２０の上端に前記ステム２１が着座する。
【００８３】
そして、前記ステム２１が加圧されると、前記ステム２１の底面が前記区画プレート１９１の上面に密着する時まで前記弾性部材２０が圧縮される。ここで、前記ステム２１と前記区画プレート１９１との間には、大気圧状態のポンピング空間が形成され、前記区画プレート１９１には、一つまたは多数のエアホール１９１ａが形成される。そして、前記区画プレート１９１の直下方に前記インナーカバー１６が位置する。
【００８４】
前記インナーカバー１６は、前記メイン貯蔵空間Ｓ１に貯蔵された化粧品溶液の水位が高いほど前記区画プレート１９１に近く位置し、化粧品溶液の水位が低くなると下降して前記インナーベース１４に近くなる。
【００８５】
また、前記インナーカバー１６によって、前記メイン貯蔵空間Ｓ１は、前記インナーカバー１６の上面と前記区画プレート１９１との間の第１空間と、前記インナーカバー１６と前記インナーベース１４との間の第２空間とに区画される。そして、前記第２空間は大気圧より低い圧力で維持され、化粧品溶液で満たされる。
【００８６】
反面、前記第１空間は、前記エアホール１９１ａを通じて前記ポンピング空間と連通する。即ち、前記第１空間は、前記エアホール１９１ａによって常に大気圧状態で維持される。よって、前記化粧品溶液の水位が低くなると、前記インナーカバー１６の荷重だけではなく、前記第１空間と前記第２空間の圧力差によって、前記インナーカバー１６は化粧品溶液の水位が低くなることにつれ下方に下降することになる。
【００８７】
一方、前記支持スリーブ１９２の外周面上側には、フレーム係止リブ１９２ａが突出して帯状に囲まれる。そして、前記フレーム係止リブ１９２ａから下側に離隔する前記支持スリーブ１９２の外周面には、インナーベース係止リブ１９２ｂが突出して帯状に囲まれる。
【００８８】
上述したように、前記フレーム２５が組立てられると、前記ロウワーフレーム２５２の内周面から突出する前記支持突起２５２ｂの上面に前記フレーム係止リブ１９２ａが着座する形態で前記支持突起２５２ｂに引っ掛って、前記フレーム２５と前記ハウジング１９が一体に結合される。
【００８９】
また、前記インナーベース１４の側面部の内周面に形成された帯状の係止溝１４２ａ(図２５参照)に前記インナーベース係止リブ１９２ｂが挿入されて、前記インナーベース１４と前記ハウジング１９が一体に結合される。
【００９０】
また、前記支持スリーブ１９２の外周面には、多数の着座リブ１９２ｃが互いに対向する位置で平行に突出形成される。そして、前記着座リブ１９２ｃは、前記インナーベース１４に形成された着座段差１４２ｂ(図２５参照)に着座する。
【００９１】
一方、前記第１スリーブ１９３ｂと前記第２スリーブ１９３ｃの下端部には、多数の流入口１９５が上側に陥没形成され、前記センタースリーブ１９３の円周方向に離隔配置される。そして、前記第１スリーブ１９３ｂに形成される第１流入口１９５ａと前記第２スリーブ１９３ｃに形成される第２流入口１９５ｂは、前記センタースリーブ１９３の中心方向に整列され、前記メイン貯蔵空間Ｓ１から前記臨時貯蔵空間Ｓ２に化粧品溶液が流入する時発生する流動抵抗を最小化することができる。
【００９２】
また、前記ディスクバルブ結合部１９４には、突出部１９４ａと陥没部１９４ｂが交互に形成され、前記陥没部１９４ｂは前記流入口１９５と整列される。
【００９３】
また、前記第１スリーブ１９３ｂの内側(または前記センタースリーブの内側)にはピストンガイド収容溝１９３ｄが形成される。そして、前記第１スリーブ１９３ｂの上端には係止段差１９６が前記第１スリーブ１９３ｂの中心方向に突出して、前記ピストンガイド収容溝１９３ｄに収容された前記ピストンガイド１８の上昇高さを制限することができる(図４または図２０参照)。
【００９４】
また、前記係止段差１９６の内周面から前記第１スリーブ１９３ｂの中心方向にステム係合リブ１９７がさらに突出して、前記アウタースリーブ２１６の端部に突出する前記係合フック２１６ａが前記ステム係合リブ１９７に引っ掛るようにする。そうすると、図４(または図２０)に示されたように、前記ステム係合リブ１９７に前記係合フック２１６ａが引っ掛ると、前記弾性部材２０の復原力によって前記ステム２１が前記ハウジング１９から分離されない。
【００９５】
そして、前記第１スリーブ１９３ｂの外周面には、一つまたは多数の嵌合溝１９３ｆが陥没形成される。
【００９６】
図１８は本発明の実施例に係る化粧品容器を構成するピストンアセンブリーの分解斜視図であり、図１９は前記ピストンアセンブリーを構成するピストンガイドとピストンボディが分離された状態で、ピストンアセンブリーが図１８の１９‐１９に沿って切開される切開斜視図であり、図２０はピストンガイドとピストンボディが結合された状態で、ピストンアセンブリーが図１８の１９‐１９に沿って切開される縦断面図である。
【００９７】
図１８〜図２０を参照すると、本発明の実施例に係る化粧品容器１０を構成するピストンアセンブリー２９は、ピストンボディ１７と、前記ピストンボディ１７の外周面に嵌められるピストンガイド１８を含むことができる。
【００９８】
具体的に、前記ピストンボディ１７は、内部に流路が形成された垂直円筒形状のピストンスリーブ１７１と、前記ピストンスリーブ１７１の下端部で折り曲げられて延長されるフランジ１７２を含む。
【００９９】
前記フランジ１７２は、水平方向に延長されてから上側に傾斜または折り曲げられる形態を有することができる。そして、ピストンスリーブ１７１と前記前記フランジ１７２が    
【０１００】
交差するコーナーにロウワースリーブ接触面１７３が形成される。
また、前記ピストンスリーブ１７１の側面には、前記臨時貯蔵空間Ｓ２に集まった化粧品溶液が流入する流入口１７１ａが形成され、前記ピストンスリーブ１７１の内部中心には、前記流入口１７１ａに流入した化粧品溶液が排出される流出口１７１ｂが形成される。そして、前記流出口１７１ｂは、前記ステム２１の中央に形成された吐出口２１１ｂと連通する。
【０１０１】
また、前記ピストンスリーブ１７１の上端部の外周面には、係合突起１７１ｃが帯状に突出して囲まれ、前記係合突起１７１ｃは、前記ステム２１に形成されたピストンボディ係合溝２１８に嵌められる。
【０１０２】
一方、前記ピストンガイド１８は、前記ピストンスリーブ１７１が貫通するガイドスリーブ１８１と、前記ガイドスリーブ１８１の外周面から円板状に延長されるガイドプレート１８２と、前記ガイドプレート１８２の端部に形成されるリップ(lip)部１８３を含むことができる。
【０１０３】
具体的に、前記ガイドスリーブ１８１は、前記ガイドプレート１８２の上面から上側に延長されるアッパースリーブ１８１ａと、前記ガイドプレート１８２の下面から下側に延長されるロウワースリーブ１８１ｂを含むことができる。
【０１０４】
前記アッパースリーブ１８１ａは、前記ステム２１のインナースリーブ２１７の内部に形成された前記アッパースリーブ収容溝２１９の内部で上昇または下降する。そして、前記アッパースリーブ１８１ａの上端部の外周面には密着突起１８１ｃが突出して、帯状に前記アッパースリーブ１８１ａの外周面に囲まれる。そして、前記密着突起１８１ｃは、前記ピストンガイド１８が上昇または下降するとき、前記アッパースリーブ収容溝２１９の内周面に接触した状態を維持する。
【０１０５】
また、前記リップ１８３は、前記ガイドプレート１８２の端部で上側に傾斜するように延長されるアッパーリップ(upper lip)１８３ａと、前記ガイドプレート１８２の端部で下側に傾斜するように延長されるロウワーリップ(lower lip)１８３ｂを含むことができる。
【０１０６】
前記ガイドプレート１８２は、前記ハウジング１９に形成されたピストンガイド収容溝１９３ｄに収容される。そして、前記ピストンガイド１８が上昇または下降するとき、前記リップ１８３は、前記ピストンガイド収容溝１９３ｄの内周面に密着した状態を維持する。
【０１０７】
前記リップ１８３が形成されることで、前記臨時貯蔵空間Ｓ２に貯蔵された化粧品溶液が前記アッパースリーブ収容溝２１９に流入することを防止することができる。そして、前記リップ１８３がアッパーリップ１８３ａとロウワーリップ１８３ｂで構成されることで、化粧品溶液の漏洩を二重で防止することができる。即ち、ロウワーリップ１８３ｂで一次的に漏洩を防止し、前記アッパーリップ１８３ａで２次的に漏洩を防止して、化粧品溶液が前記アッパースリーブ収容溝２１９に流入することを防止することができる。
【０１０８】
また、前記ロウワースリーブ１８１ｂの下端部は、前記パレット２３を押す動作に応じて、前記フランジ１７２に選択的に接触または分離される。即ち、前記ロウワースリーブ１８１ｂの下端部が前記ロウワースリーブ接触面１７３に接触した状態では、前記臨時貯蔵空間Ｓ２に集まった化粧品溶液が外部に排出できない。逆に、前記ピストンボディ１７が下降して前記ロウワースリーブ接触面１７３から前記ロウワースリーブ１８１ｂの下端部から分離すると、前記臨時貯蔵空間Ｓ２に集まった化粧品溶液が外部に排出される。
【０１０９】
図面上では、前記ロウワースリーブ１８１ｂの下側内周面が前記フランジ１７２の外面に接触するものと図示されているが、前記ロウワースリーブ１８１ｂの下端部が前記フランジ１７２の上面に接触したり上面から分離したりするようにすることも可能である。
【０１１０】
図２１は本発明の実施例に係る化粧品容器を構成するインナーカバーの斜視図であり、図２２は図２１の２２‐２２に沿って切開される縦断面図である。
【０１１１】
図２１および図２２を参照すると、前記化粧品容器１０を構成するインナーカバー１６は、上述したように、前記ハウジング１９と前記インナーベース１４によって定義されるメイン貯蔵空間Ｓ１内部に配置される。そして、前記メイン貯蔵空間Ｓ１内部に満たされた化粧品溶液が多いほど前記ハウジング１９の底面に近く位置し、化粧品溶液が減少することにつれて下降して、前記インナーベース１４に近くなる。
【０１１２】
また、前記インナーベース１４の上側空間は、前記ハウジング１９のエアホール１９１ａを通じて大気圧状態で維持される前記ポンピング空間と連通して大気圧状態で維持され(図１７の矢印参照)、前記インナーベース１４の下側空間は大気圧より低い圧力状態で維持される。
【０１１３】
また、インナーベース１４の中央には、センタースリーブ貫通ホール１６１が形成され、前記ハウジング１９の底面から延長されるセンタースリーブ１９３が挿通される。そして、前記インナーベース１４の端部には、前記ピストンガイドに形成されたリップ１８３と同じ形状および同じ機能を有するリップ１６４が形成されてもよい。前記リップ１６４は、アッパーリップ１６４ａとロウワーリップ１６４ｂを含むことができる。前記リップ１６４によって、前記インナーカバー１６が下降する過程で、前記インナーカバー１６４の下側空間が上側空間から完全に分離するように、気密状態が維持される。
【０１１４】
図２３は本発明の実施例に係る化粧品容器を構成するディスクバルブの斜視図であり、図２４は図２３の２４‐２４に沿って切開されるディスクバルブの縦断面図である。
【０１１５】
図２３および図２４を参照すると、本発明の実施例に係る化粧品容器１０を構成するディスクバルブ１５は、圧力差によって歪み可能な軟質プラスチック、シリコン、またはゴム材質からなることができる。
【０１１６】
具体的に、前記ディスクバルブ１５は、内部に中空部が形成された環状の帯状に形成される。そして、前記ディスクバルブ１５の内径は、前記ピストンアセンブリー２９、具体的には前記ピストンガイド１８の外径より大きく形成される。
【０１１７】
即ち、前記ピストンアセンブリー２９が、ユーザの加圧力によって下降する領域の外側に位置するようにすることで、前記ピストンアセンブリー２９の下端部と干渉する現象を完全に除去することができる。その結果、前記化粧品容器１０の上下方向の厚さをさらに減らせる効果を得ることができる。
【０１１８】
従来の場合、ディスクバルブの機能を担当するチェックバルブが、前記ピストンアセンブリー２９の昇降領域の直下方に位置され、前記チェックバルブおよびチェックバルブ支持構造の厚さに該当する上下方向の空間が必然的に確保されなければならなかった。よって、化粧品容器の全体厚さを減らすことに限界があった。
【０１１９】
しかし、本発明の場合、前記チェックバルブの機能を担当する前記ディスクバルブ１５が、前記ピストンアセンブリー２９の昇降領域の外側に配置されることで、前記チェックバルブの厚さに該当するだけ前記化粧品容器１０の全体厚さをさらに減らすことができる効果がある。
【０１２０】
一方、前記ディスクバルブ１５は、前記ハウジング１９を構成する前記センタースリーブ１９３の下端に装着される。具体的に、前記センタースリーブ１９３の下端には、ディスクバルブ結合部１９４が陥没形成される。そして、前記ディスクバルブ結合部１９４の上端には、突出部１９４ａと陥没部１９４ｂが交互に形成される。
【０１２１】
また、前記ディスクバルブ１５は、水平方向に延長される固定部１５１と、前記固定部１５１の外側端部から下側に延長されるフラップ部(flap portion)１５２を含むことができる。前記フラップ部１５２は、前記固定部１５１から垂直に延長されてもよく、図示されたように、下側に行くほど前記ディスクバルブ１５の中心方向に曲がるように形成される。
【０１２２】
また、前記固定部１５１の上面には、突出部１５３と陥没部１５４が交互に形成され、前記突出部１５３は、前記ディスクバルブ結合部１９４に形成された陥没部１９４ｂに嵌められ、前記ディスクバルブ結合部１９４に形成された前記突出部１９４ａは、前記陥没部１５４に嵌められる。このような突出部と陥没部の結合関係によって、前記ディスクバルブ１９４が前記ディスクバルブ１９４の円周方向に空回りする現象を防止することができる。
【０１２３】
また、前記固定部１５１の内周面には、一つまたは多数の嵌め込み用突起１５５が突出形成され、前記一つまたは多数の嵌め込み用突起１５５は、前記第１スリーブ１９３ｂに形成された嵌合溝１９６に嵌められ、前記ディスクバルブ１９４が円周方向に空回りすることをさらに防止することができる。
【０１２４】
ここで、前記固定部１５１は、結合力を強化するために、前記フラップ部１５２より相対的に硬く形成され、前記フラップ部１５２は、化粧品溶液の流動圧力によって容易に歪むように相対的に軟質でからなることができる。即ち、前記固定部１５１とフラップ部１５２の柔軟性(flexibility)が同一成形されてもよく、前記固定部１５１より前記フラップ部１５２が柔軟に成形されてもよい。
【０１２５】
図２５は本発明の実施例に係る化粧品容器を構成するインナーベースの斜視図であり、図２６は図４のＡ部分の拡大斜視図である。
【０１２６】
図２５および図２６を参照すると、本発明の実施例に係る化粧品容器１０を構成するインナーベース１４は、底部１４１と、前記底部１４１の端部から上側に延長される側面部１４２を含むことができる。
【０１２７】
具体的に、前記底部１４１の中央部には、所定の直径を有する陥没部１４４が形成される。よって、前記陥没部１４４の端部と前記底部１４１との間には、係止段差１４５が形成される。
【０１２８】
また、上述したように、前記陥没部１４４には、前記ハウジング１９の第１スリーブ１９３ｂが当たり、前記陥没部１４４の外側に該当する前記底部１４１には、前記ハウジング１９の第２スリーブ１９３ｃが当たる。
【０１２９】
また、前記陥没部１４４の端部に対応する前記底部１４１には、前記陥没部１４４の端部に沿って多数のガイド突起１４３が突出形成される。前記ガイド突起１４３の内側面は、図示されたように傾斜するように形成され、前記ディスクバルブ１５の組立過程で前記フラップ部１５２が前記陥没部１４４の外側に歪むことを防止する。
【０１３０】
具体的に、前記化粧品容器１０を組立てる過程を見ると、前記ハウジング１９をひっくり返した状態で、前記ディスクバルブ１５を先に装着した後、前記インナーベース１４を被せる。よって、前記インナーベース１４を被せる過程で、前記ディスクバルブ１５のフラップ部１５２が前記陥没部１４４の内側に位置するように、前記ガイド突起１４３の傾斜面が前記フラップ部１５２をガイドする。そうすると、前記フラップ部１５２の外周面は、前記係止段差１５５に密着した状態で組立てられる。そして、前記流入口１９５を通じて、前記第２スリーブ１９３ｃの外側から前記第１スリーブ１９３ｂ側に流れる化粧品溶液の流動圧力によって、前記フラップ部１５２は、前記陥没部１４４の中心方向に曲げられる。
【０１３１】
一方、前記側面部１４２の内周面には係止溝１４２ａが形成され、上端には着座段差１４２ｂが形成される。そして、前記着座段差１４２ｂには、前記着座リブ１９２ｃが着座する。そして、前記係止溝１４２ａには、前記インナーベース係止リブ１９２ｂが挿入される。
【０１３２】
図２７は本発明の実施例に係る化粧品容器を構成するアウターベースとプッシュボタンの結合体の斜視図であり、図２８は図２７のＢ部分の平面図である。
【０１３３】
図２７および図２８を参照すると、本発明の実施例に係る化粧品容器１０を構成するアウターベース１１は、底部１１１と、前記底部１１１の外側縁端部から上側に延長される側面部１１２を含むことができる。
【０１３４】
具体的に、前記側面部１１２の一側には、ヒンジ取付部嵌合溝１１２ｂが下側に所定深さ陥没形成され、前記ヒンジ取付部嵌合溝１１２ｂの両側方には、ヒンジ軸１２が挿入されるヒンジホール１１２ａが形成される。
【０１３５】
また、前記ヒンジ取付部嵌合溝１１２ｂの反対側に該当する前記側面部１１２のある地点には、前記プッシュボタン１３が装着されるための装着部が形成される。
【０１３６】
ここで、前記プッシュボタン１３は、押し部１３１と、前記押し部１３１の両側端から延長されるアーム部１３３と、前記押し部１３１の上面から突出する係合フック１３２を含むことができる。そして、前記アーム部１３３には、ガイドホール１３３ａが形成される。
【０１３７】
また、前記装着部は、前記押し部１３１が収容される押し部収容溝１１６と、前記押し部収容溝１１６の両側端部から前記側面部１１２の円周方向に延長されるアーム収容部１１４と、前記アーム収容部１１４の内側面から突出して前記ガイドホール１３３ａに嵌められるガイド突起１１６と、前記アーム部１３３を把持するアーム支持リブ１１５を含むことができる。
【０１３８】
前記アーム支持リブ１１５は、前記側面部１１２の内周面からＬ字状に折り曲げられて延長され、前記アーム１３３の端部を把持する。よって、前記押し部１３１に圧力が加えられても、前記プッシュボタン１３が前記アウターベース１１の内側への脱去を防止することができる。
【０１３９】
また、前記ガイド突起１１６が前記ガイドホール１３３ａに嵌められることで、前記プッシュボタン１３が左右方向に揺らぎを防止することができる。そして、前記アーム収容部１１４は、前記側面部１１２の内周面から前記アーム１３３の厚さに該当する深さで陥没し、アーム１３３の長さより若干長く形成される。そうすると、前記押し部１３１を押して前記アーム１３３がラウンド状の状態で広げられても、前記アーム収容部１１４と干渉して前記アーム１３３が破損することを防止することができる。
【０１４０】
一方、前記側面部１１２の内周面には、前記係合突起１１３が突出し、前記係合突起１１３は、前記ロウワーフレーム２５２の外周面に形成される前記係合溝２５２ａに嵌められる。
【０１４１】
以下では、本発明の実施例に係る化粧品容器に貯蔵された化粧品溶液を排出するための前記化粧品容器の操作方法に対して、図面を参照して説明する。
【０１４２】
図２９は図１の２９‐２９に沿って切開される使用前の状態の化粧品容器の縦断面図であり、図３０は図２９のＣ部分の拡大図である。
【０１４３】
図２９および図３０を参照すると、使用前の状態では、前記プッシュボタン１３によって前記アウターカバー２５が閉じられた状態で維持される。
具体的に、前記パレット２３の上面にパフが置かれた状態で、前記アウターカバー２５が閉じられ、前記パフは別途に貯蔵される。
【０１４４】
前記パレット２３の上面中央に加圧力が作用しない場合には、前記弾性部材２０の復原力によって、前記ステム２１は前記ハウジング１９の上面から離隔した状態で維持される。
【０１４５】
また、前記アウタースリーブ２１６の下端部は、前記ピストンガイド１８のガイドプレート１８２上面から離隔した状態で維持される。そして、前記ロウワースリーブ１８１ｂは、前記フランジ１７２に接触した状態で維持される。前記ディスクバルブ１５のフラップ部１５２は、前記インナーベース１４の係止段差１４５に密着した状態で維持される。よって、前記臨時貯蔵空間Ｓ２に貯蔵された化粧品溶液は、外部に排出されず密閉された状態で維持される。
【０１４６】
図３１は図１の２９‐２９に沿って切開される使用中の状態の化粧品容器の縦断面図であり、図３２は図３０のＤ部分の拡大図である。
【０１４７】
図３１および図３２を参照すると、まず、ユーザは化粧品容器１０に貯蔵された化粧品を使用するために、前記プッシュボタン１３を押して前記アウターカバー２５が回動するようにする。
【０１４８】
この状態で、前記パレット２３の上面中央に圧力Ｐを加えると、前記パレット２３と、ステム２１、前記ステム２１の底面に装着された前記ピストンアセンブリー２９およびパレットリング２４が所定距離ｈだけ下降する。
【０１４９】
このとき、前記ステム２１が下降しながら前記アウタースリーブ２１６の下端部が前記ピストンガイド１８のガイドプレート１８２に接触する時までは、前記ピストンガイド１８は動かず、前記ピストンボディ１７のみが前記ステム２１と一体で下降する。そして、前記アウタースリーブ２１６の下端部が前記ガイドプレート１８２に当たると、前記ロウワースリーブ１８１ｂが前記フランジ１７２から分離する。
【０１５０】
この状態では、前記ピストンガイド１８と前記ピストンボディ１７および前記ステム２１が一体で下降する。そして、前記ステム２１が下降することにつれて前記弾性部材２０が圧縮される。そして、前記ステム２１は、前記ハウジング１９の上面に接触する時まで下降する。
【０１５１】
一方、前記アウタースリーブ２１６が前記フランジ１７２から分離すると、前記臨時貯蔵空間Ｓ２に集まった化粧品溶液が、前記アウタースリーブ２１６と前記フランジ１７２の離隔空間を通じて前記ピストンボディ１７の流入口１７１ａに流入する。そして、前記流入口１７１ａに流入した化粧品溶液は、前記流出口１７１ｂを通じて前記吐出口２１１ｂに案内される。
【０１５２】
そして、前記吐出口２１１ｂを介して吐出される化粧品溶液は、前記ステム２１の上面に形成された案内流路２１１ｃに沿って流れる。そして、前記案内流路２１１ｃに沿って流れる化粧品溶液は、前記排出口２３２を通じて外部に排出されて、前記パレット２３を押すパフの内部に染込むことになる。
【０１５３】
一方、前記臨時貯蔵空間Ｓ２に貯蔵された化粧品溶液が外部に排出されると、前記臨時貯蔵空間Ｓ２の圧力が前記メイン貯蔵空間Ｓ１の圧力より低くなる。そうすると、前記メイン貯蔵空間Ｓ１に貯蔵された化粧品溶液が前記流入口１９５(図２６参照)を通じて前記臨時貯蔵空間Ｓ２に流入しようとする現象が発生する。即ち、前記メイン貯蔵空間Ｓ１に貯蔵された化粧品溶液が、前記流入口１９５を通じて前記ディスクバルブ１５のフラップ部１５２を加圧することになる。そうすると、前記フラップ部１５２が内側に曲がりながら前記流入口１９５が開放され、メイン貯蔵空間Ｓ１に貯蔵された化粧品溶液が前記臨時貯蔵空間Ｓ２に流入する。
【０１５４】
ここで、ユーザが前記パレット２３を押す圧力Ｐを除去する時まで、前記臨時貯蔵空間Ｓ２に貯蔵された化粧品溶液が外部に排出され、前記メイン貯蔵空間Ｓ１に貯蔵された化粧品溶液が前記臨時貯蔵空間Ｓ２に移動する。
【０１５５】
また、ユーザが前記圧力Ｐを除去すると、前記ピストンボディ１７が上昇しながら前記フランジ１７２が前記アウタースリーブ２１６の下端に密着して、化粧品容器の排出を遮断する。そして、前記ピストンガイド１８の上端部は、前記ピストンガイド収容溝１９３ｄの上端に当たる時まで上昇する。
【０１５６】
この状態で、前記臨時貯蔵空間Ｓ２が化粧品溶液で完全に満たされる時まで、前記ディスクバルブ１５が開放された状態で維持される。そして、前記臨時貯蔵空間Ｓ２に化粧品溶液が全部満たされて、メイン貯蔵空間Ｓ１と同じ圧力になると、前記フラップ部１５２が元の位置に復帰して前記係止段差１４５に密着し、結果的に前記ディスクバルブ１５が閉鎖される。
【０１５７】
また、前記メイン貯蔵空間Ｓ１に貯蔵された化粧品溶液の水位が減少することにつれて前記インナーカバー１６も下降することになる。
【０１５８】
図３２に示されたように、前記ディスクバルブ１５が前記ピストンアセンブリー２９の下降領域の外側に配置されることで、前記ピストンボディ１７のフランジ１７２は、前記インナーベース１４の底部の至近距離まで下降することができ、それだけ前記化粧品容器の厚さを減らせることができる長所がある。
【０１５９】
図３３は、本発明の別の実施例に係る化粧品容器を構成するハウジングの底面斜視図である。
【０１６０】
本発明の別の実施例に係る化粧品容器は、以前の実施例の化粧品容器１０と構成および動作において同一であり、ハウジングとディスクバルブの構造において若干の差がある。よって、構成と機能が同じ部分に対する重なる説明は省略する。
【０１６１】
具体的に、本発明の別の実施例に係るハウジング３９は、以前の実施例に係るハウジング１９と同様に、円形の区画プレート３９１と、前記区画プレート３９１の外側端部に形成される支持スリーブ３９２と、前記区画プレート３９１の内側端部に形成されるセンタースリーブ３９３を含むことができる。そして、前記区画プレート１９１には、多数のエアホール３９１ａが形成される。
【０１６２】
また、支持スリーブ３９２の外周面にフレーム係止リブ３９２ａとインナーベース係止リブ３９２ｂが形成されることも、以前の実施例に係るハウジング１９と同一である。ただし、前記支持スリーブ３９２の外周面に形成される着座リブ３９２ｃの形状が若干異なる点に差がある。即ち、以前の実施例の場合、一対の着座リブ１９２ｃが平行に下側に延長される構造である反面、本実施例に係る着座リブ３９２ｃは、図示されたように、垂直部分と、前記垂直部分の下端部に形成される水平部分からなる構造である。そして、前記着座リブ３９２ｃが前記支持スリーブ３９２の円周方向に多数個が離隔して配置されることは、以前の実施例と同一である。
【０１６３】
また、前記センタースリーブ３９３が内側の第１スリーブ３９３ｂと外側の第２スリーブ３９３ｃからなり、前記第１スリーブ３９３ｂの内側にピストンガイド収容溝３９３ｄが形成され、前記ピストンガイド収容溝３９３ｄの上端に係止段差３９６とステム係合リブ３９７が形成されることも、以前の実施例に係るハウジング１９の構造と同一である。
また、前記第１スリーブ３９３ｂと第２スリーブ３９３ｃが区画壁３９３ｅによって区画され、前記区画壁３９３ｅの下側にディスクバルブ結合部３９４が形成されることと、前記ディスクバルブ結合部３９４を定義する前記区画壁３９３ｅの底面に突出部３９４ａと陥没部３９４ｂが形成されることも、以前の実施例と同一である。
【０１６４】
しかし、前記第１スリーブ３９３ｂの下端部が前記第２スリーブ３９３ｃの下端部より短く形成されることは、以前の実施例と反対である。これは、後述される別の実施例に係るディスクバルブ３５の構造的な特徴のためといえる。
【０１６５】
以前の実施例では、前記第１スリーブ１９３ｂは、前記インナーベース１４の底部中央に形成された前記陥没部１４４に置かれ、前記第２スリーブ１９３ｃは、前記陥没部１４４の端部外側に該当する前記インナーベース１４の底部に置かれるので、前記第１スリーブ１９３ｂが第２スリーブ１９３ｃより長く形成されたが、本実施例では、前記第２スリーブ１９３ｃの外径が以前の実施例より小さく形成されるか、前記陥没部１４４の半径が以前の実施例より大きく形成されて、前記第２スリーブ１９３ｃも前記陥没部１４４の端部の部分に置かれる。
【０１６６】
そして、前記第２スリーブ１９３ｃの底の部分には、以前の実施例と同様に多数の流入口３９５が上側に陥没形成され、前記多数の流入口３９５は、前記第２スリーブ１９３ｃの円周方向に離隔配置される。
【０１６７】
しかし、前記第１スリーブ３９３ｂの底の部分には、以前の実施例とは違って別途の流入口が形成される必要がなく、これも変更されたディスクバルブ３５の構造に起因するといえる。
【０１６８】
ただし、前記第１スリーブ３９３ｂの底の部分には、多数の制限突起３９３ｅが突出して、前記ディスクバルブ３５を構成するフラップの歪み角度(または上昇角度)を制限する。前記多数の制限突起３９３ｅは、前記第１スリーブ３９３ｂの円周方向に多数個が配置されてもよい。前記制限突起３９３ｅは、少なくとも外側面が垂直面から所定角度傾斜するように形成され、前記ディスクバルブ３５のフラップが曲がりながら面接触するようにすることができる。前記制限突起３９３ｅの内側面も所定角度傾斜するように形成されるが、これに制限されるものではない。
【０１６９】
一方、以前の実施例の場合、第１スリーブ１９３ｂの外周面に嵌合溝１９３ｆが形成され、前記ディスクバルブ１５が装着されたとき、前記嵌合溝１９３ｆに対応する前記ディスクバルブ１５の内周面に嵌め込み用突起１５４５が突出して、前記ディスクバルブ１５が円周方向に空回りすることを防止した。
【０１７０】
しかし、本実施例の場合、フラップ部が内側に形成されるので、前記第２スリーブ３９３ｃの内周面に嵌め込み用突起３９３ｆが突出して、前記ディスクバルブ３５の外周面に嵌合溝３５１ｇ(図３４参照)が形成されることを特徴とする。ここで、前記第２スリーブ３９３ｃの内周面に嵌合溝が形成され、前記ディスクバルブ３５の外周面に嵌め込み用突起が形成される構造も可能である。
【０１７１】
図３４は本発明の別の実施例に係るディスクバルブの斜視図であり、図３５は図３４の３５‐３５に沿って切開される切開斜視図である。
【０１７２】
図３４および図３５を参照すると、本実施例に係るディスクバルブ３５は、ピストンアセンブリー２９の作動によって曲がるフラップがディスクバルブ３５の内側に形成される点で、以前の実施例に係るディスクバルブ１５と差がある。
【０１７３】
具体的に、前記ディスクバルブ３５は、固定部３５１と、前記固定部３５１の内側端部から傾斜して延長されるフラップ部３５２を含む。前記固定部３５１は、円形の帯状に形成される水平部３５１ｂと、前記水平部３５１ｂの外側端部の底面から下側に延長される外側垂直部３５１ａと、前記水平部３５１ｂの内側端部から下側に延長される内側垂直部３５１ｃと、前記水平部３５１ｂの上面に形成される多数の突出部３５１ｅおよび陥没部３５１ｆを含むことができる。
【０１７４】
前記フラップ部３５２は、以前の実施例と同様に、前記固定部３５１より柔軟に成形される。
【０１７５】
前記陥没部３５１ｆは、多数の前記突出部３５１ｅが前記水平部３５１ｂの円周方向に離隔配置されることで形成される。ここで、前記水平部３５１ｂの上面が前記突出部３５１ｅの上面と定義される場合、前記多数の陥没部３５１ｆが離隔配置されることで、前記突出部３５１ｅが形成されると説明することもできる。
【０１７６】
前記外側垂直部３５１ａは、前記水平部３５１ｂの円周方向に多数個が離隔配置される柱と定義することができ、隣接する外側垂直部３５１ａの間の空間は流入口３５１ｄと定義することができる。前記流入口３５１ｄを通じて化粧品溶液が前記フラップ部３５２の下側に流入し、前記ピストンアセンブリー２９の作動によって前記フラップ部３５２が持上げられると、前記フラップ部３５２の下側にある化粧品溶液が前記臨時貯蔵空間Ｓ２に流入する。前記流入口３５１ｄの幅は、前記第２スリーブ３９３ｃの下端部に形成される流入口３９５の幅に対応する大きさを有することができる。
【０１７７】
一方、前記フラップ部３５２の端部には、上側に曲げられる折曲部３５２ａが形成される。そして、前記フラップ部３５２は、前記内側垂直部２５１ｃを通る垂直線から所定角度θ傾斜するように形成される。そして、前記フラップ部３５２は、前記内側垂直部３５１ｃから下方に傾斜するように延長される。
【０１７８】
図３６は使用前の状態を示す本発明の別の実施例に係る化粧品容器の縦断面図であり、図３７は図３６のＥ部分の拡大斜視図であり、図３８は図３６のＦ部分の拡大図である。
【０１７９】
図３６〜図３８を参照すると、前記第１スリーブ３９３ｂの底面には流入口が形成されないが、これは、前記ディスクバルブ３５のフラップ部３５２が当たるからである。よって、前記第２スリーブ３９３ｃの底面のみに流入口３９５が形成されるものである。
【０１８０】
また、上述したように、前記第２スリーブ３９３ｃも前記インナーベース１４の陥没部１４４に置かれ、具体的には、前記陥没部１４４の端部部位に置かれる。そして、前記ディスクバルブ３５のフラップ部３５２が前記臨時貯蔵空間Ｓ２の内側まで延長されるようにするために、前記第１スリーブ３９３ｂが前記第２スリーブ３９３ｃより短く形成される。
【０１８１】
また、前記ピストンアセンブリー２９が動作しないときには、前記フラップ部３５２の端部底面は、前記陥没部１４４に接触した状態を維持する。
【０１８２】
図３９は使用状態を示す本発明の別の実施例に係る化粧品容器の縦断面図であり、図４０は図３９のＧ部分の拡大断面図である。
【０１８３】
図３９および図４０を参照すると、ユーザがパフで前記パレット２３を所定の力Ｐで加圧すると、前記ステム２１と前記ピストンアセンブリー２９が所定高さｈだけ下降する。前記ピストンアセンブリー２９の下降による前記メイン貯蔵空間Ｓ１と臨時貯蔵空間Ｓ２内の圧力変化は、以前の実施例で既に説明したので、重なる説明は省略する。
【０１８４】
前記ピストンアセンブリー２９の下降によって、前記臨時貯蔵空間Ｓ２内にあった化粧品溶液が抜け出ていきながら、前記フラップ部３５２が持上げられる。そして、前記フラップ部３５２が持上げられると、前記メイン貯蔵空間Ｓ１にあった化粧品溶液が前記臨時貯蔵空間Ｓ２に流入する。
【０１８５】
ここで、前記フラップ部３５２が垂直面から傾斜するように延長されるので、前記フラップ部３５２の歪みが自在となり、化粧品溶液が均一に排出されるようにする。そして、前記ハウジング３９の第１スリーブ３９３ｂの底面に形成される前記制限突起３９３ｅによって、前記フラップ部３５２が過度に持上げられることを防止でき、結果的に化粧品溶液が過度に排出されることを防止することができる。
【０１８６】
図４１は、本発明の別の実施例に係るピストンボディの外観斜視図である。
【０１８７】
図４１を参照すると、本実施例に係るピストンボディ１７は、図１８〜図２０に図示される以前の実施例に係るピストンボディ１７とその構造が同一であるが、フランジ１７２に多数個の貫通ホール１７２ａが形成される点で差がある。具体的に、前記貫通ホール１７２ａは、前記フランジ１７２の底の部分に形成される、即ち、前記ピストンスリーブ１７１の下端から水平に延長される部分に前記貫通ホール１７２ａが形成されてもよい。そして、前記貫通ホール１７２ａは、前記フランジ１７２の円周方向に離隔配置されてもよい。
【０１８８】
また、前記貫通ホール１７２ａは、図１８〜図２０に図示されるピストンボディ１７にも形成されてもよい。
【０１８９】
前記フランジ１７２に前記多数の貫通ホール１７２ａが形成されることで、前記ピストンボディ１７が下降すると、前記臨時貯蔵空間Ｓ２に貯蔵された化粧品溶液が直接前記貫通ホール１７２ａを通過して前記臨時貯蔵空間Ｓ２に外部に排出される。その結果、化粧品溶液の排出時発生する流動抵抗が減少するだけではなく、前記パレット２３を押したとき化粧品が排出されることにかかる時間、いわゆる応答速度が短くなる長所がある。
【０１９０】
図面では３つの貫通ホール１７２ａが前記フランジ１７２に形成されるものと図示されているが、これに制限されるものではない。
【０１９１】
図４２は本発明のさらに別の実施例に係るディスクバルブの外観斜視図であり、図４３は図４２の４３‐４３に沿って切開される縦断面図である。
【０１９２】
図４２および図４３を参照すると、本実施例に係るディスクバルブ３５は、図３４および図３５に開示された以前の実施例に係るディスクバルブ３５の構造と同一であるが、フラップ部３５２の構造に差がある。
【０１９３】
また、本実施例に係るディスクバルブ３５の水平部３５１ｂには、以前の実施例で説明された多数の突出部３５１ｅおよび陥没部３５１ｆが図示されていない。しかし、前記多数の突出部３５１ｅおよび陥没部３５１ｆが本実施例にも適用可能である。逆に、図３４および図３５の図面において、前記多数の突出部３５１ｅおよび陥没部３５１ｆが形成されなくてもよい。即ち、前記フラップ部３５２を除いた前記ディスクバルブ３５の他の構成は、以前の実施例と本実施例が同一に設計できることを意味する。
【０１９４】
一方、本実施例に係るディスクバルブ３５のフラップ部３５２は、第１フラップ部３５２ｂと第２フラップ部３５２ｃを含むことができる。
【０１９５】
具体的に、前記第１フラップ部３５２ｂは、図３４および図３５に開示されたフラップ部３５２に対応するものであると理解でき、前記第１フラップ部３５２ｂに前記第２フラップ部３５２ｃがさらに延長されるものであると理解することができる。
【０１９６】
そして、前記第２フラップ部３５２ｃの傾きは、前記第１フラップ部３５２ｂと違うように設計することができる。具体的に、前記第１フラップ部３５２ｂと前記第１フラップ部３５２ｂの端部を通る水平面がなす傾斜角δ１は、前記第２フラップ部３５２ｃと前記第２フラップ部３５２ｃの端部を通る水平面がなす傾斜角δ２より大きく形成される。
前記第２フラップ部３５２ｃが前記第１フラップ部３５２ｂより少し緩やかに傾斜して延長されることで、前記第２フラップ部３５２ｃと前記インナーベース１４の底面の接触面積が広くなる。その結果、前記ピストンアセンブリー２９が作動しないとき、メイン貯蔵空間Ｓ１から臨時貯蔵空間Ｓ２側に化粧品溶液の流動を遮断する効果を高めることができる。即ち、前記ディスクバルブ３５の化粧品流路(または流動)の遮断機能が向上する効果がある。
【０１９７】
より具体的に、従来の化粧品容器に適用されたディスクバルブは、インナーベースの底部面から上側に離隔する地点で、化粧品溶液の流路を開閉する構造となっている。その結果、化粧品容器の厚さを減らすことに限界がある。しかし、本発明の場合、化粧品溶液の流路の開閉地点がインナーベースの底部に形成されるので、化粧品容器の厚さをさらに減らすことができる長所がある。
【０１９８】
即ち、図２３で説明されるディスクバルブ１５の固定部１５１と、図３５および図４２で説明されるディスクバルブ３５の固定部１５１が、前記ピストンアセンブリー２９の昇降領域の外側に置かれるように設計することで、一次的に化粧品容器の厚さを減らすことができる。そして、前記ディスクバルブ１５、３５のフラップ部１５２、３５２がインナーベース１４の底部と選択的に接触するように設計することで、二次的に化粧品容器の厚さをさらに減らすことができる。
【０１９９】
図２３で説明されるディスクバルブ１５のフラップ部１５２が接触する地点は、実質的にインナーベース１４の底部を形成する一部分であるので、前記フラップ部１５２も前記インナーベース１４の底部と選択的に接触すると見ることができる。
それだけではなく、前記第２フラップ部３５２ｃがさらに形成されることで、化粧品溶液を押上げる加圧面積が増加して、パレット２３の排出口２３２を通過する化粧品の速度が増加する長所がある。
【０２００】
図４４は、図４１〜図４３で説明されたピストンボディとディスクバルブが装着された化粧品容器の使用状態を示す部分縦断面図である。
【０２０１】
図４４を参照すると、ユーザが手で前記パレット２３を加圧すると、前記ピストンアセンブリー２９が下降して、前記ロウワースリーブ１８１ｂと前記ロウワースリーブ接触面１７３の間に離隔空間が形成される。
【０２０２】
そして、前記離隔空間を通じて前記臨時貯蔵空間Ｓ２に貯蔵された化粧品溶液が前記臨時貯蔵空間Ｓ１の外部に排出される。そうすると、前記メイン貯蔵空間Ｓ１の圧力が臨時貯蔵空間Ｓ２の圧力より高い状態となり、前記ディスクバルブ３５のフラップ部３５２の底面が前記インナーベース１４の底面から持上げられる。
【０２０３】
そうなると、前記メイン貯蔵空間Ｓ１から臨時貯蔵空間Ｓ２に推し込まれる化粧品溶液は、実線矢印で示されたように、大きく２つの移動流路を形成することができる。
【０２０４】
即ち、前記２つの移動流路は、前記ピストンボディ１７のフランジ１７２に形成された貫通ホール１７２ａを直接通過する第１流路と、前記フランジ１７２の外側端部に沿って上側に流入し、前記ロウワースリーブ１８１ｂとロウワースリーブ接触面１７３の間に形成された離隔空間に流れる第２流路とを含むことができる。
【０２０５】
前記第１流路に沿って化粧品溶液の一部が流動することで、前記貫通ホール１７２ａがない場合に比べて、流動抵抗が減少し、流動速度が増加する効果を得ることができる。
上記で説明した本発明の実施例に係る化粧品容器の発明的特徴をまとめると次のようである。
【０２０６】
［例１］
本発明の実施例に係る化粧品容器は、
ベース部材と、
前記ベース部材の上面に置かれる支持スリーブと、前記支持スリーブの内側中心で前記ベース部材の上面に置かれるセンタースリーブ、前記支持スリーブの上端と前記センタースリーブの上端を連結する区画プレートと、前記支持スリーブと前記センタースリーブとの間に形成されるメイン貯蔵空間と、前記センタースリーブの内部に形成される臨時貯蔵空間とを含むハウジングと、
前記ハウジングの上端に結合され、内側に所定大きさのホールが形成されるフレームと、
前記ホールに収容された状態で上下方向に移動可能に前記フレームに結合され、中央に化粧品溶液を吐出するための吐出口が形成されるステムと、
前記ステムの底面に装着され、前記臨時貯蔵空間に収容されるピストンアセンブリーと、
前記センタースリーブの下端に装着され、前記メイン貯蔵空間と前記臨時貯蔵空間が選択的に連通するようにするディスクバルブと、
を含み、
前記ディスクバルブは、
環状の固定部と、
前記固定部の一側端部から延長され、所定の軟性を有するフラップ部と、を含み、
前記フラップ部の端部は、
前記ピストンアセンブリーが上昇するとき、前記ベース部材の底部に接触し、
前記ピストンアセンブリーが下降するとき、前記ベース部材の底部から分離することを特徴とする、化粧品容器。
【０２０７】
前記フラップ部は、前記固定部の外側端部または内側端部から延長されることを特徴とする。
【０２０８】
前記フラップ部は、前記固定部の内側端部から延長される第１フラップ部と、前記フラップ部の端部からさらに延長される第２フラップと部を含む。
【０２０９】
水平面に対する前記第２フラップ部の傾斜角度は、水平面に対する前記第１フラップ部の傾斜角度より小さいことを特徴とする。
【０２１０】
前記ピストンアセンブリーは、
ピストンガイドと、
前記ピストンガイドを貫通し、上端部が前記ステムの底面に固定されて前記ステムと一体で昇降するピストンボディとを含み、
前記ピストンボディは、
前記ピストンガイドを貫通し、化粧品溶液の流入口および流出口が形成されるピストンスリーブと、
前記ピストンスリーブの下端から前記ピストンスリーブの半径方向に延長されるフランジと、を含み、
前記フランジには、多数の貫通ホールが形成されることを特徴とする。
【０２１１】
前記多数の貫通ホールは、前記フランジの円周方向に離隔配置されることを特徴とする。
前記センタースリーブの下端部には、前記ディスクバルブが嵌着されるディスクバルブ結合部が陥没形成され、
前記ディスクバルブ結合部には、陥没部と突出部が交互に形成されることを特徴とする。
【０２１２】
前記固定部の上面には、前記ディスクバルブ結合部の陥没部に嵌め込まれる突出部と、前記ディスクバルブ結合部の突出部が嵌め込まれる陥没部が交互に形成されることを特徴とする。
【０２１３】
前記固定部の内周面から突出する一つまたは多数の嵌め込み用突起をさらに含み、
前記ディスクバルブ結合部には、前記一つまたは多数の嵌め込み用突起が嵌め込まれる嵌め込み溝が形成されることを特徴とする。
【０２１４】
［例２］
本発明の実施例に係る化粧品容器は、
ベース部材と、
前記ベース部材の上面に置かれる支持スリーブと、前記支持スリーブの内側中心で前記ベース部材の上面に置かれるセンタースリーブ、前記支持スリーブの上端と前記センタースリーブの上端を連結する区画プレートと、前記支持スリーブと前記センタースリーブとの間に形成されるメイン貯蔵空間と、前記センタースリーブの内部に形成される臨時貯蔵空間とを含むハウジングと、
前記ハウジングの上端に結合され、内側に所定大きさのホールが形成されるフレームと、
前記ホールに収容された状態で上下方向に移動可能に前記フレームに結合され、中央に化粧品溶液を吐出するための吐出口が形成されるステムと、
前記ステムの底面に装着され、前記臨時貯蔵空間内で昇降可能に収容されるピストンアセンブリーと、
前記センタースリーブの下端に装着され、前記メイン貯蔵空間と前記臨時貯蔵空間が選択的に連通するようにするディスクバルブと、
を含み、
前記ディスクバルブは、
環状の固定部と、
前記固定部の内側端部から延長され、所定の軟性を有するフラップ部と、を含み、
前記ピストンアセンブリーの外側端部が上下方向に移動する経路によって、前記ピストンアセンブリーの昇降領域が定義され、
少なくとも前記固定部は、前記昇降領域の外側に置かれることを特徴とする。
前記フラップ部は、前記固定部の外側端部または内側端部から延長されることを特徴とする。
【０２１５】
前記フラップ部は、前記固定部の内側端部から延長される第１フラップ部と、前記フラップ部の端部からさらに延長される第２フラップ部を含む。
【０２１６】
水平面に対する前記第２フラップ部の傾斜角度は、水平面に対する前記第１フラップ部の傾斜角度より小さいことを特徴とする。
前記ピストンアセンブリーは、
ピストンガイドと、
前記ピストンガイドを貫通し、上端部が前記ステムの底面に固定されて前記ステムと一体で昇降するピストンボディとを含み、
前記ピストンボディは、
前記ピストンガイドを貫通し、化粧品溶液の流入口および流出口が形成されるピストンスリーブと、
前記ピストンスリーブの下端から前記ピストンスリーブの半径方向に延長されるフランジと、を含み、
前記フランジには、多数の貫通ホールが形成されることを特徴とする。
【０２１７】
前記多数の貫通ホールは、前記フランジの円周方向に離隔配置されることを特徴とする。
【０２１８】
前記センタースリーブの下端部には、前記ディスクバルブが嵌着されるディスクバルブ結合部が陥没形成され、
前記ディスクバルブ結合部には、陥没部と突出部が交互に形成されることを特徴とする。
【０２１９】
前記固定部の上面には、前記ディスクバルブ結合部の陥没部に嵌め込まれる突出部と、前記ディスクバルブ結合部の突出部が嵌め込まれる陥没部が交互に形成されることを特徴とする。
【０２２０】
前記固定部の内周面から突出する一つまたは多数の嵌め込み用突起をさらに含み、
前記ディスクバルブ結合部には、前記一つまたは多数の嵌め込み用突起が嵌め込まれる嵌め込み溝が形成されることを特徴とする。
【符号の説明】
【０２２１】
１０  化粧品容器
１１  アウターベース
１２  ヒンジ軸
１３  プッシュボタン
１４  インナーベース
１５  ディスクバルブ
１６  インナーカバー
１７  ピストンボディ
１８  ピストンガイド
１９  ハウジング
２０  弾性部材
２１  ステム
２２  ガスケット
２４  パレットリング
２５  アウターカバー
２６  ミラー
２７  アウターカバー
２８  加圧部材
２９  ピストンアセンブリー
３５  ディスクバルブ
３９  ハウジング
１１１  底部
１１２  側面部
１１３  係合突起
１１４  アーム収容部
１１５  アーム支持リブ
１１６  ガイド突起
１３１  押し部
１３２  係合フック
１３３  アーム
１４１  底部
１４２  側面部
１４３  ガイド突起
１４４  陥没部
１４５  係止段差
１５１  固定部
１５２  フラップ部
１５３  突出部
１５４  陥没部
１５５  嵌め込み用突起
１６１  センタースリーブ貫通ホール
１６４  リップ
１７１  ピストンスリーブ
１７２  フランジ
１７３  ロウワースリーブ接触面
１８１  ガイドスリーブ
１８２  ガイドプレート
１８３  リップ
１９１  区画プレート
１９２  支持スリーブ
１９３  センタースリーブ
１９４  ディスクバルブ
１９５  流入口
１９６  係止段差
１９７  ステム係合リブ
【図１】
2020530365.tif 000003
【図２】
2020530365.tif 000004
【図３】
2020530365.tif 000005
【図４】
2020530365.tif 000006
【図５】
2020530365.tif 000007
【図６】
2020530365.tif 000008
【図７】
2020530365.tif 000009
【図８】
2020530365.tif 000010
【図９】
2020530365.tif 000011
【図１０】
2020530365.tif 000012
【図１１】
2020530365.tif 000013
【図１２】
2020530365.tif 000014
【図１３】
2020530365.tif 000015
【図１４】
2020530365.tif 000016
【図１５】
2020530365.tif 000017
【図１６】
2020530365.tif 000018
【図１７】
2020530365.tif 000019
【図１８】
2020530365.tif 000020
【図１９】
2020530365.tif 000021
【図２０】
2020530365.tif 000022
【図２１】
2020530365.tif 000023
【図２２】
2020530365.tif 000024
【図２３】
2020530365.tif 000025
【図２４】
2020530365.tif 000026
【図２５】
2020530365.tif 000027
【図２６】
2020530365.tif 000028
【図２７】
2020530365.tif 000029
【図２８】
2020530365.tif 000030
【図２９】
2020530365.tif 000031
【図３０】
2020530365.tif 000032
【図３１】
2020530365.tif 000033
【図３２】
2020530365.tif 000034
【図３３】
2020530365.tif 000035
【図３４】
2020530365.tif 000036
【図３５】
2020530365.tif 000037
【図３６】
2020530365.tif 000038
【図３７】
2020530365.tif 000039
【図３８】
2020530365.tif 000040
【図３９】
2020530365.tif 000041
【図４０】
2020530365.tif 000042
【図４１】
2020530365.tif 000043
【図４２】
2020530365.tif 000044
【図４３】
2020530365.tif 000045
【図４４】
2020530365.tif 000046
【国際調査報告】
2020530365.tif 000047
2020530365.tif 000048
2020530365.tif 000049
2020530365.tif 000050